(57)【特許請求の範囲】
【請求項１】
円筒形の側面を有する容器本体、前記容器本体の外周に配置される円筒形のリングネジ、および、前記リングネジとネジ係合するキャップからなり、
前記容器本体の外周面には、縦方向に延びる突起であるローレットが形成され、
前記リングネジは、内周面には、縦方向に延びる突起であるローレットが形成され、外周面にはネジ山が形成され、
前記キャップは、内周面にネジ山が形成された円筒形の側面、および前記容器本体の上面と接する頂面を有し、
前記容器本体の外側に配置した前記リングネジを回転させると前記容器本体のローレットと前記リングネジのローレットが係合することにより、前記リングネジは前記容器本体に対する回転が停止され、かつ、前記リングネジが前記容器本体から下方に移動可能に配置されており、
前記リングネジが前記容器本体の外周に配置された状態で、前記リングネジのネジ山と前記キャップのねじ山が係合して前記容器本体が前記キャップによって密閉されていることを特徴とするレフィル容器。
【請求項２】
請求項１に記載のレフィル容器を組立てるためのレフィル容器組立用治具であって、
前記キャップの側面の内側に入る外周面、および、前記容器本体が挿入される内周面からなる円筒形の側面を有し、前記円筒形の側面の上端部に前記リングネジが保持されることを特徴とするレフィル容器組立用治具。
【請求項３】
請求項１に記載のレフィル容器の組立方法であって、
前記キャップの側面の内側に入る外周面、および、前記容器本体が挿入される内周面からなる円筒形の側面を有するレフィル容器組立用治具の前記円筒形の側面の上端部で前記リングネジを保持し、前記容器本体を前記治具の内部に挿入し、前記容器本体の外周に前記リングネジが配置された状態で、前記キャップを前記リングネジとネジ係合させて前記キャップで前記容器本体を密閉することを特徴とするレフィル容器の組立方法。
【発明の詳細な説明】
【技術分野】
【０００１】
本発明は、化粧品等の容器に使用されるレフィル容器、レフィル容器の組立用治具、およびレフィル容器の組立方法に関する。
【背景技術】
【０００２】
化粧料等を収容する容器には、外容器を繰り返し使用するために、収容物が無くなった時に化粧料が収容された内容器だけを交換する方法を用いたものが多数存在する。このような交換用の内容器であるレフィル容器には、蓋等を開封するまでは収容物の品質を確保するために気密性が求められるので、閉鎖部材を容器の開口部の全周に亘ってシールを施して密閉する方法が一般的に用いられている（特許文献１参照）。
【先行技術文献】
【特許文献】
【０００３】
【特許文献１】特開２００１−１３０６１９号公報
【発明の概要】
【発明が解決しようとする課題】
【０００４】
しかしながら、閉鎖部材をシールすることによって容器を密閉する方法では、シールによる気密性の問題、また、閉鎖部材に生じるピンホールによって気密性が確保できないという問題、輸送時に閉鎖部材が破れるという気密性に関する問題が存在する。
【０００５】
その他に、シールを施工するための機械が必要となることからコストの面でも問題があり、さらに、気密性を確保するために容器の開口の全周に亘って強固にシールを施していると閉鎖部材を開けづらく、そして閉鎖部材を綺麗に取り除き難いという問題もある。
【０００６】
そこで、本発明は簡単に蓋をして気密性を確保できるレフィル容器、そしてレフィル容器を簡単に組立てることができるレフィル容器組立用治具、および前記レフィル容器組立用治具を用いたレフィル容器の組立方法を提供することを目的とする。
【課題を解決するための手段】
【０００７】
本発明のレフィル容器は、円筒形の側面を有する容器本体、前記容器本体の外周に配置される円筒形のリングネジ、および、前記リングネジとネジ係合するキャップからなり、前記容器本体の外周面にはローレットが形成され、前記リングネジは、内周面にはローレットが形成され、外周面にはネジ山が形成され、前記キャップは、内周面にネジ山が形成された円筒形の側面、および前記容器本体の上面と接する頂面を有し、前記容器本体のローレットと前記リングネジのローレットが係合することにより、前記リングネジは前記容器本体に対する回転が停止され、かつ、前記リングネジが前記容器本体から下方に移動可能に配置されており、前記リングネジが前記容器本体の外周に配置された状態で、前記リングネジのネジ山と前記キャップのねじ山が係合して前記容器本体が前記キャップによって密閉されていることを特徴とする。
【０００８】
本発明のレフィル容器組立用治具は、前記レフィル容器を組立てるためのレフィル容器組立用治具であって、前記キャップの側面の内側に入る外周面、および、前記容器本体が挿入される内周面からなる円筒形の側面を有し、前記円筒形の側面の上端部に前記リングネジが保持されることを特徴とする。
【０００９】
本発明のレフィル容器組立方法は、前記レフィル容器の組立方法であって、前記キャップの側面の内側に入る外周面、および、前記容器本体が挿入される内周面からなる円筒形の側面を有するレフィル容器組立用治具の前記円筒形の側面の上端部で前記リングネジを保持し、前記容器本体を前記治具の内部に挿入し、前記容器本体の外周に前記リングネジが配置された状態で、前記キャップを前記リングネジとネジ係合させて前記キャップで前記容器本体を密閉することを特徴とする。
【発明の効果】
【００１０】
本発明のレフィル容器は、円筒形の側面を有する容器本体、前記容器本体の外周に配置される円筒形のリングネジ、および、前記リングネジとネジ係合するキャップからなり、前記容器本体の外周面にはローレットが形成され、前記リングネジは、内周面にはローレットが形成され、外周面にはネジ山が形成され、前記キャップは、内周面にネジ山が形成された円筒形の側面、および前記容器本体の上面と接する頂面を有し、前記容器本体のローレットと前記リングネジのローレットが係合することにより、前記リングネジは前記容器本体に対する回転が停止され、かつ、前記リングネジが前記容器本体から下方に移動可能に配置されており、前記リングネジが前記容器本体の外周に配置された状態で、前記リングネジのネジ山と前記キャップのねじ山が係合して前記容器本体が前記キャップによって密閉されていることにより、治具を用いるとキャップを手で閉めるだけで簡単に気密性を確保して容器本体を閉じることができる。
【００１１】
本発明のレフィル容器組立用治具は、前記レフィル容器を組立てるためのレフィル容器組立用治具であって、前記キャップの側面の内側に入る外周面、および、前記容器本体が挿入される内周面からなる円筒形の側面を有し、前記円筒形の側面の上端部に前記リングネジが保持されることにより、レフィル容器組立用治具が無ければレフィル容器を組立てることができないので、レフィル容器を一度開けたら簡単に閉めることができなくなり、レフィル容器の搬送途中での開封等を防止することができるので、レフィル容器の安全性を確保することができる。
【００１２】
本発明のレフィル容器組立方法は、前記レフィル容器の組立方法であって、前記キャップの側面の内側に入る外周面、および、前記容器本体が挿入される内周面からなる円筒形の側面を有するレフィル容器組立用治具の前記円筒形の側面の上端部で前記リングネジを保持し、前記容器本体を前記治具の内部に挿入し、前記容器本体の外周に前記リングネジが配置された状態で、前記キャップを前記リングネジとネジ係合させて前記キャップで前記容器本体を密閉することにより、手作業で簡単にレフィル容器を組立てることが可能となる。
【図面の簡単な説明】
【００１３】
【図１】レフィル容器の斜視図であり、（ａ）はレフィル容器を組立てた状態、（ｂ）はレフィル容器を分解した状態を示す。
【図２】レフィル容器の断面図であり、（ａ）はレフィル容器を組立てた状態、（ｂ）はレフィル容器を分解した状態を示す。
【図３】ネジリングの別の形態を示す斜視図である。
【図４】レフィル容器組立用治具の斜視図である。
【図５】レフィル容器組立用治具にネジリングをセットした状態の斜視図である。
【図６】レフィル容器組立用治具にネジリング、容器本体をセットした状態の斜視図である。
【図７】レフィル容器組立用治具を用いてレフィル容器の組立が完了した状態の斜視図である。
【図８】レフィル容器組立用治具を使用状況を示す断面図であり、（ａ）はレフィル容器組立用治具にネジリング、容器本体をセットし、キャップを閉める前の状態、（ｂ）はレフィル容器の組立が完了した状態を示す。
【図９】レフィル容器の容器本体を外容器にセットする状態を示す斜視図であり、（ａ）はレフィル容器を外容器にセットする直前の状態、（ｂ）はレフィル容器を外容器にセットし、蓋を閉める前の状態を示す。
【図１０】レフィル容器の容器本体を外容器にセットした状態を示す斜視図であり、（ａ）はレフィル容器を外容器にセットし、外容器のキャップを閉める前の状態、（ｂ）はレフィル容器を外容器にセットし、キャップを閉めた状態を示す。
【発明を実施するための形態】
【００１４】
本発明を図を用いて以下に詳細に説明する。図１が本発明のレフィル容器１の斜視図であり、図２がレフィル容器１の断面図である。
【００１５】
本発明のレフィル容器１は、図１，２に示すように、円筒形の側面５、および曲面からなる底面６を有する容器本体２、前記容器本体２の側面５の外周に配置される円筒形のリングネジ３、および、前記リングネジ３とネジ係合するキャップ４からなる。前記容器本体２、前記リングネジ３および前記キャップ４は樹脂成形品である。
【００１６】
図１（ｂ）に示すように、前記容器本体２は上部が開口となっており、前記開口の周囲にはリング状の鍔部７が形成され、さらに側面５の外周面には縦方向に延びる６つの突起からなるローレット８が形成されおり、その内部に化粧料等が収容される。
【００１７】
図１（ｂ）に示すように、前記リングネジ３は、内周面には縦方向に延びる２つの突起からなるローレット９が形成され、外周面にはネジ山１０が形成されている。前記容器本体２の外側に配置した前記リングネジ３を回転させると前記リングネジ３の前記ローレット９が前記容器本体２のローレット８と係合することによって、前記リングネジ３は前記容器本体２に対する回転が停止される構造となっている。
【００１８】
前記容器本体２のローレット８の突起の数、および、前記リングネジ３のローレット９の突起の数は、上述の数に限定するものではない。例えば、前記容器本体２のローレット８の突起を狭ピッチで多数形成した場合、前記リングネジ３のローレット９の突起の数は１つとすることも可能である。いずれの場合にも、前記容器本体２のローレット８と、前記リングネジ３のローレット９とによって、前記リングネジ３の前記容器本体２に対する回転が停止されればよい。また、前記容器本体２のローレット８は後述する外容器３０との係合にも使用する。
【００１９】
さらに、前記リングネジ３を前記容器本体２の外周に配置した時に、前記リングネジ３と、前記容器本体２との間には隙間が生じるように互いの大きさを決定しており、これにより、前記リングネジ３は前記容器本体２に対して固定されることなく、下方へと自由に移動することができる。
【００２０】
前記キャップ４は、図１に示すように、円形の頂面１１および円筒形の側面１２を有し、前記側面１２の内周面には、図２に示すように、ネジ山１３が形成されている。前記キャップ４のネジ山１３は前記リングネジ３のネジ山１０とネジ係合する。前記キャップ４を樹脂等を用いて成形することにより、輸送中に破れたり破損したりすることが無くなるので、レフィル容器１の気密性を確保し、安全に輸送することができる。
【００２１】
前記レフィル容器１は、前記容器本体２の外周に前記リングネジ３を配置した状態で前記リングネジ３に前記キャップ４をネジ係合させると、図１（ａ）、図２（ａ）の状態となり、前記キャップ４と係合した前記リングネジ３は前記容器本体２から落ちることなく固定されており、前記容器本体２、前記リングネジ３および前記キャップ４が一体となる。このようにして前記キャップ４によって前記容器本体２の開口が密閉された状態となると、前記レフィル容器１の完成形となる。
【００２２】
前記リングネジ３は、前記容器本体２との間に隙間を生じる大きさとすることにより、前記リングネジ３は前記容器本体２に対して固定されることなく、下方へと自由に移動できるようにしているが、その他の方法で前記リングネジ３を前記容器本体２に固定できない構造とすることも可能である。
【００２３】
例えば、図３（ａ）に示すように、前記リングネジ３に１つの縦方向の切り欠きを設け、さらに、前記リングネジ３の内径を前記容器本体２外形よりも大きく形成し、弾性変形可能な材質により形成する。このような形態のリングネジ３は前記キャップ４を閉める時に前記容器本体２の外周面と接するように、径が小さくなるように変形させる必要がある。このような状態で前記リングネジ３を前記容器本体２の外周に配置して前記キャップ４とネジ係合させておくと、前記キャップ４を開けて前記キャップ４と前記リングネジ３のネジ係合を解除した時に、前記リングネジ３は自然に外側へと拡がるので前記容器本体２から落下して簡単に外れることができる。
【００２４】
その他に、図３（ｂ）に示すように、前記リングネジ３に２つの縦方向の切り欠きを設けて２分割とすることも可能である。この場合、前記キャップ４を開けて前記キャップ４と前記リングネジ３のネジ係合を解除すると、前記リングネジ３は２つに分解されて前記容器本体２から簡単に外れることができる。
【００２５】
上述のように、本発明のレフィル容器１には、前記キャップ４を開けると、図１（ｂ）、図２（ｂ）に示すような状態となって、前記リングネジ３は前記容器本体２から外れるように構成している。これは、一度キャップ４を開けたレフィル容器１を再度前記リングネジ３を利用して前記キャップ４を閉めようとしたとしても、前記リングネジ３を前記容器本体２に固定することは出来ないので、そのままでは前記キャップ４を閉めることはできないようにするためである。このような構造を用いることにより、前記レフィル容器１は、流通途中でキャップ４を開けることができなくなるので、前記容器本体２に収容される物品の安全性を確保することができる。また、レフィル容器１を販売する側にとっても、利用者がレフィル容器１だけで使用するのを防止することが可能となる。
【００２６】
前記レフィル容器１は、容器本体２に化粧料４０等を収容し、前記キャップ４によって閉じられた状態で流通され販売される。利用者は使用済みのレフィル容器１を新しいレフィル容器１を交換する際に、図９，１０に示すように、新しいレフィル容器１のキャップ４を開けて前記容器本体２内の化粧料４０が使用できる状態にしてから、外容器３０の中に新しいレフィル容器１をセットする。
【００２７】
前記キャップ４を開ける方向に回転させると、前記キャップ４とネジ係合している前記リングネジ３が前記容器本体２に対して回転する場合があるが、前記リングネジ３のローレット９と前記容器本体２のローレット８によって前記リングネジ３の回転が停止され、その後、前記キャップ４と前記リングネジ３のネジ係合が解除されると、前記リングネジ３は前記容器本体２から下方へと移動し、前記容器本体２から落下する。これにより、前記レフィル容器１は化粧料等が収容された容器本体２だけの状態となるので、前記容器本体２を外容器３０に入れて使用することができる。
【００２８】
前記外容器３０の内周面には、図９に示すように、多数の突起からなるローレット３１が形成されており、前記外容器３０のローレット３１が内容器となる前記レフィル容器１の容器本体２のローレット８と係合して前記容器本体２が前記外容器３０に固定される。そしてキャップ３２を用いて前記外容器３０を閉めると、図１０（ｂ）に示すように、新しい外容器３０に新しい化粧料４０が収容された状態となり、外容器３０に収容された新しい化粧料４０が使用できる状態となる。前記容器本体２の収容物を化粧料として説明しているが、その他の食品等を収容することも可能である。
【００２９】
本発明のレフィル容器１は、上述のように、そのままの状態ではキャップ４を前記リングネジ３と係合させて前記容器本体２を閉めることができない。そこで、前記レフィル容器１の組立に使用する本発明のレフィル容器組立用治具２０について説明する。
【００３０】
図４に示すのが本発明のレフィル容器組立用治具２０の斜視図である。前記レフィル容器組立用治具２０は、前記キャップ４の内側に入る外周面、および、前記容器本体２が挿入される内周面からなる所定の厚みの側面２１を有する治具である。さらに、前記側面２１の上端部から上方に突出した２つの突出部２２を設け、前記突出部２２によって、前記リングネジ３を前記側面３２の上端部で保持する構造となっており、前記リングネジ３を前記容器本体２の外周に固定し、前記リングネジ３と前記キャップ４がネジ係合できるようにするものである。
【００３１】
前記突出部２２は薄板形状で前記リングネジ３の外周面を押えて保持する形状となっているが、このような形状および個数に限定するものではなく、前記リングネジ３を前記側面２１の上端部に一時的に保持することができればよい。例えば、前記側面２１の上端部に複数の突起を設けて、前記リングネジ３の底面に前記突起が挿入される孔を形成する構造を用いて、複数の突起を突出部としてもよい。これにより、前記孔に前記突起を挿入することによって前記リングネジ３を前記側面２１の上端部に固定することができる。
【００３２】
前記レフィル容器組立用治具２０を用いたレフィル容器１の組立方法について説明する。まず初めに、図５に示すように、前記レフィル容器組立用治具２０の側面２１の上端部に前記レフィル容器１のリングネジ３をセットし、前記突出部２２で前記リングネジ３が動かないように保持する。次に、化粧料４０等を収容した容器本体２を、前記レフィル容器組立用治具２０にセットされた前記リングネジ３の内側に配置する。この時、前記容器本体２の鍔部７が前記リングネジ３の上端に保持される。これにより、図６、図８（ａ）に示すように、前記リングネジ３が前記容器本体２の外周に配置された状態となる。
【００３３】
その後、前記キャップ４を前記容器本体２の上から被せて、前記リングネジ３とネジ係合するように回転させると、前記キャップ４のネジ山１３が前記リングネジ３のネジ山１０と係合して、図７、図８（ｂ）に示すように、前記キャップ４によって前記容器本体２は密閉される。この時、前記リングネジ３が回転しないように前記レフィル容器組立用治具２０で保持しなければならない。このようにして、前記キャップ４と前記リングネジ３のネジ係合が完了したら前記レフィル容器組立用治具２０から前記レフィル容器１を取り外すと、図１（ａ）の状態となり、前記レフィル容器１の組立が完了する。
【００３４】
このように、本発明のレフィル容器１はレフィル容器組立用治具２０を用いると簡単に手作業で組み立てることができるので、シールを用いて密閉するレフィル容器に比べると、シールする機器等が不要となり、密閉作業も簡単になるので、レフィル容器を密閉するためのコストを大幅に削減することができる。
【００３５】
以上のように、本発明のレフィル容器１およびレフィル容器組立用治具２０を用いることで、レフィル容器１の気密性、安全性の向上が実現でき、また、簡単な作業で密閉することが可能となる。
【符号の説明】
【００３６】
１      レフィル容器
２      容器本体
３      リングネジ
４      キャップ
５      側面
６      底面
７      鍔部
８，９  ローレット
１０    ネジ山    
１１    頂面
１２    側面
１３    ネジ山
２０    レフィル容器組立用治具
２１    側面
２２    突出部
３０    外容器
３１    ローレット
３２    キャップ
４０    化粧料
【図１】
0005782372.tif 000002
【図２】
0005782372.tif 000003
【図３】
0005782372.tif 000004
【図４】
0005782372.tif 000005
【図５】
0005782372.tif 000006
【図６】
0005782372.tif 000007
【図７】
0005782372.tif 000008
【図８】
0005782372.tif 000009
【図９】
0005782372.tif 000010
【図１０】
0005782372.tif 000011